(57)【要約】      （修正有）【課題】小型で周辺部においても高い光学性能を有し、高速フォーカシングが可能な単焦点レンズ系、交換レンズ装置及びカメラシステムを提供する。【解決手段】物体側から像側へと順に、少なくとも第１正レンズ群Ｇ１と第２レンズ群Ｇ２とを備え、第１正レンズ群は物体側から像側へと順に連続して、負レンズ素子Ａ、正レンズ素子Ｂ、負レンズ素子Ｃ及び正レンズ素子Ｄからなる第１サブレンズ群Ｅを有し、第２レンズ群内のレンズ素子１枚以上で構成される第２サブレンズ群はフォーカシングレンズ群であり、条件：１．０＜｜ｆＷ／ｆＡ｜＜２．２、０．５＜ｆＷ／ｆＢ＜２．０、０．５＜｜ｆＷ／ｆＣ｜＜１．７及び０．５＜ｆＷ／ｆＤ＜１．８（ｆＷ：全系の焦点距離、ｆＡ：レンズ素子Ａの焦点距離、ｆＢ：レンズ素子Ｂの焦点距離、ｆＣ：レンズ素子Ｃの焦点距離、ｆＤ：レンズ素子Ｄの焦点距離）を満足する単焦点レンズ系、交換レンズ装置及びカメラシステム。【選択図】図１
2015146015.tif 000002
【特許請求の範囲】
【請求項１】
物体側から像側へと順に、少なくとも
正のパワーを有する第１レンズ群と、
パワーを有する第２レンズ群と
を備え、
前記第１レンズ群は、物体側から像側へと順に連続して、
負のパワーを有するレンズ素子Ａと、
正のパワーを有するレンズ素子Ｂと、
負のパワーを有するレンズ素子Ｃと、
正のパワーを有するレンズ素子Ｄと
からなる第１サブレンズ群Ｅを有し、
前記第２レンズ群内の、少なくとも１枚のレンズ素子で構成される第２サブレンズ群は、無限遠合焦状態から近接物体合焦状態へのフォーカシングの際に、像面に対して光軸方向に移動するフォーカシングレンズ群であり、
以下の条件（１）〜（４）を満足する、単焦点レンズ系：
１．０＜｜ｆＷ／ｆＡ｜＜２．２  ・・・（１）
０．５＜ｆＷ／ｆＢ＜２．０  ・・・（２）
０．５＜｜ｆＷ／ｆＣ｜＜１．７  ・・・（３）
０．５＜ｆＷ／ｆＤ＜１．８  ・・・（４）
ここで、
ｆＷ：全系の無限遠合焦状態での焦点距離、
ｆＡ：レンズ素子Ａの焦点距離、
ｆＢ：レンズ素子Ｂの焦点距離、
ｆＣ：レンズ素子Ｃの焦点距離、
ｆＤ：レンズ素子Ｄの焦点距離
である。
【請求項２】
レンズ素子Ａとレンズ素子Ｂとは、互いに一方の光学面が貼り合わせられた接合レンズ素子である、請求項１に記載の単焦点レンズ系。
【請求項３】
レンズ素子Ｃとレンズ素子Ｄとは、互いに一方の光学面が貼り合わせられた接合レンズ素子である、請求項１に記載の単焦点レンズ系。
【請求項４】
第１レンズ群は、第１サブレンズ群Ｅよりも物体側に、
正のパワーを有するレンズ素子Ｆと、
負のパワーを有するレンズ素子Ｇと
を有し、
以下の条件（５）を満足する、請求項１に記載の単焦点レンズ系：
０．７＜（Ｒ１Ｇ＋Ｒ２Ｇ）／（Ｒ１Ｇ−Ｒ２Ｇ）＜２．２  ・・・（５）
ここで、
Ｒ１Ｇ：レンズ素子Ｇの物体側面の曲率半径、
Ｒ２Ｇ：レンズ素子Ｇの像側面の曲率半径
である。
【請求項５】
フォーカシングレンズ群は、負のパワーを有する１枚のレンズ素子Ｈからなり、以下の条件（６）を満足する、請求項１に記載の単焦点レンズ系：
０．８＜｜ｆＷ／ｆＨ｜＜１．２  ・・・（６）
ここで、
ｆＷ：全系の無限遠合焦状態での焦点距離、
ｆＨ：レンズ素子Ｈの焦点距離
である。
【請求項６】
開口絞りと、
前記開口絞りよりも像側に配置され、負のパワーを有するレンズ素子と
を備え、
前記レンズ素子の少なくとも１枚であるレンズ素子Ｉは、以下の条件（７）を満足する、請求項１に記載の単焦点レンズ系：
０．６３８＜０．００１８×ｖｄＩ＋ＰｇＦＩ＜０．６５２  ・・・（７）
ここで、
ｖｄＩ：レンズ素子Ｉのｄ線に対するアッベ数、
ＰｇＦＩ：レンズ素子Ｉのｇ線とＦ線との部分分散比
である。
【請求項７】
請求項１に記載の単焦点レンズ系と、
前記単焦点レンズ系が形成する光学像を受光して電気的な画像信号に変換する撮像素子を含むカメラ本体との接続が可能なレンズマウント部と
を備える、交換レンズ装置。
【請求項８】
請求項１に記載の単焦点レンズ系を含む交換レンズ装置と、
前記交換レンズ装置とカメラマウント部を介して着脱可能に接続され、前記単焦点レンズ系が形成する光学像を受光して電気的な画像信号に変換する撮像素子を含むカメラ本体と
を備える、カメラシステム。
【発明の詳細な説明】
【技術分野】
【０００１】
本開示は、単焦点レンズ系、交換レンズ装置及びカメラシステムに関する。
【背景技術】
【０００２】
レンズ交換式デジタルカメラシステム（以下、単に「カメラシステム」ともいう）は、高感度で高画質な画像を撮影することができ、フォーカシングや撮影後の画像処理が高速で、撮りたい場面に合わせて手軽に交換レンズ装置を取り替えることができる等の利点があり、近年急速に普及している。
【０００３】
交換レンズ装置に用いるレンズ系としては、従来より、小型で高い光学性能を有するものが求められており、例えば３群構成のレンズ系が種々提案されている。
【０００４】
特許文献１及び２は、正負正の３群構成を有し、開口絞りが第１レンズ群内に配置され、第２レンズ群でフォーカシングを行うレンズ系を開示している。
【先行技術文献】
【特許文献】
【０００５】
【特許文献１】特開２０１２−２４２４７２号公報
【特許文献２】特開２０１３−０３７０８０号公報
【発明の概要】
【発明が解決しようとする課題】
【０００６】
本開示は、小型でありながら、諸収差が充分に補正され、周辺部においても高い光学性能を有し、高速フォーカシングが可能な単焦点レンズ系を提供する。また本開示は、該単焦点レンズ系を含み、小型で高性能な交換レンズ装置及びカメラシステムを提供する。
【課題を解決するための手段】
【０００７】
本開示における単焦点レンズ系は、
物体側から像側へと順に、少なくとも
正のパワーを有する第１レンズ群と、
パワーを有する第２レンズ群と
を備え、
前記第１レンズ群は、物体側から像側へと順に連続して、
負のパワーを有するレンズ素子Ａと、
正のパワーを有するレンズ素子Ｂと、
負のパワーを有するレンズ素子Ｃと、
正のパワーを有するレンズ素子Ｄと
からなる第１サブレンズ群Ｅを有し、
前記第２レンズ群内の、少なくとも１枚のレンズ素子で構成される第２サブレンズ群は、無限遠合焦状態から近接物体合焦状態へのフォーカシングの際に、像面に対して光軸方向に移動するフォーカシングレンズ群であり、
以下の条件（１）〜（４）：
１．０＜｜ｆＷ／ｆＡ｜＜２．２  ・・・（１）
０．５＜ｆＷ／ｆＢ＜２．０  ・・・（２）
０．５＜｜ｆＷ／ｆＣ｜＜１．７  ・・・（３）
０．５＜ｆＷ／ｆＤ＜１．８  ・・・（４）
（ここで、
ｆＷ：全系の無限遠合焦状態での焦点距離、
ｆＡ：レンズ素子Ａの焦点距離、
ｆＢ：レンズ素子Ｂの焦点距離、
ｆＣ：レンズ素子Ｃの焦点距離、
ｆＤ：レンズ素子Ｄの焦点距離
である）
を満足する
ことを特徴とする。
【０００８】
本開示における交換レンズ装置は、
物体側から像側へと順に、少なくとも
正のパワーを有する第１レンズ群と、
パワーを有する第２レンズ群と
を備え、
前記第１レンズ群は、物体側から像側へと順に連続して、
負のパワーを有するレンズ素子Ａと、
正のパワーを有するレンズ素子Ｂと、
負のパワーを有するレンズ素子Ｃと、
正のパワーを有するレンズ素子Ｄと
からなる第１サブレンズ群Ｅを有し、
前記第２レンズ群内の、少なくとも１枚のレンズ素子で構成される第２サブレンズ群は、無限遠合焦状態から近接物体合焦状態へのフォーカシングの際に、像面に対して光軸方向に移動するフォーカシングレンズ群であり、
以下の条件（１）〜（４）：
１．０＜｜ｆＷ／ｆＡ｜＜２．２  ・・・（１）
０．５＜ｆＷ／ｆＢ＜２．０  ・・・（２）
０．５＜｜ｆＷ／ｆＣ｜＜１．７  ・・・（３）
０．５＜ｆＷ／ｆＤ＜１．８  ・・・（４）
（ここで、
ｆＷ：全系の無限遠合焦状態での焦点距離、
ｆＡ：レンズ素子Ａの焦点距離、
ｆＢ：レンズ素子Ｂの焦点距離、
ｆＣ：レンズ素子Ｃの焦点距離、
ｆＤ：レンズ素子Ｄの焦点距離
である）
を満足する単焦点レンズ系と、
前記単焦点レンズ系が形成する光学像を受光して電気的な画像信号に変換する撮像素子を含むカメラ本体との接続が可能なレンズマウント部と
を備える
ことを特徴とする。
【０００９】
本開示におけるカメラシステムは、
物体側から像側へと順に、少なくとも
正のパワーを有する第１レンズ群と、
パワーを有する第２レンズ群と
を備え、
前記第１レンズ群は、物体側から像側へと順に連続して、
負のパワーを有するレンズ素子Ａと、
正のパワーを有するレンズ素子Ｂと、
負のパワーを有するレンズ素子Ｃと、
正のパワーを有するレンズ素子Ｄと
からなる第１サブレンズ群Ｅを有し、
前記第２レンズ群内の、少なくとも１枚のレンズ素子で構成される第２サブレンズ群は、無限遠合焦状態から近接物体合焦状態へのフォーカシングの際に、像面に対して光軸方向に移動するフォーカシングレンズ群であり、
以下の条件（１）〜（４）：
１．０＜｜ｆＷ／ｆＡ｜＜２．２  ・・・（１）
０．５＜ｆＷ／ｆＢ＜２．０  ・・・（２）
０．５＜｜ｆＷ／ｆＣ｜＜１．７  ・・・（３）
０．５＜ｆＷ／ｆＤ＜１．８  ・・・（４）
（ここで、
ｆＷ：全系の無限遠合焦状態での焦点距離、
ｆＡ：レンズ素子Ａの焦点距離、
ｆＢ：レンズ素子Ｂの焦点距離、
ｆＣ：レンズ素子Ｃの焦点距離、
ｆＤ：レンズ素子Ｄの焦点距離
である）
を満足する単焦点レンズ系、を含む交換レンズ装置と、
前記交換レンズ装置とカメラマウント部を介して着脱可能に接続され、前記単焦点レンズ系が形成する光学像を受光して電気的な画像信号に変換する撮像素子を含むカメラ本体と
を備える
ことを特徴とする。
【発明の効果】
【００１０】
本開示における単焦点レンズ系は、小型でありながら、諸収差が充分に補正され、周辺部においても高い光学性能を有し、高速フォーカシングが可能である。
【図面の簡単な説明】
【００１１】
【図１】実施の形態１（数値実施例１）に係る単焦点レンズ系の無限遠合焦状態を示すレンズ配置図
【図２】数値実施例１に係る単焦点レンズ系の無限遠合焦状態の縦収差図
【図３】実施の形態２（数値実施例２）に係る単焦点レンズ系の無限遠合焦状態を示すレンズ配置図
【図４】数値実施例２に係る単焦点レンズ系の無限遠合焦状態の縦収差図
【図５】実施の形態３（数値実施例３）に係る単焦点レンズ系の無限遠合焦状態を示すレンズ配置図
【図６】数値実施例３に係る単焦点レンズ系の無限遠合焦状態の縦収差図
【図７】実施の形態４（数値実施例４）に係る単焦点レンズ系の無限遠合焦状態を示すレンズ配置図
【図８】数値実施例４に係る単焦点レンズ系の無限遠合焦状態の縦収差図
【図９】実施の形態５（数値実施例５）に係る単焦点レンズ系の無限遠合焦状態を示すレンズ配置図
【図１０】数値実施例５に係る単焦点レンズ系の無限遠合焦状態の縦収差図
【図１１】実施の形態６に係るレンズ交換式デジタルカメラシステムの概略構成図
【発明を実施するための形態】
【００１２】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、発明者は、当業者が本開示を充分に理解するために添付図面および以下の説明を提供するのであって、これらによって請求の範囲に記載の主題を限定することを意図するものではない。
【００１４】
本開示において、レンズ群とは少なくとも１枚のレンズ素子で構成された群であり、レンズ群を構成するレンズ素子の種類、枚数、配置等に応じて、レンズ群ごとにパワー、合成焦点距離等が決定される。
【００１５】
（実施の形態１〜５）
図１、３、５、７及び９は、各々実施の形態１〜５に係る単焦点レンズ系のレンズ配置図であり、いずれも無限遠合焦状態にある単焦点レンズ系を表している。
【００１６】
各図において、レンズ群に付された矢印は、無限遠合焦状態から近接物体合焦状態へのフォーカシングを表す。すなわち、後述する第２レンズ群Ｇ２が無限遠合焦状態から近接物体合焦状態へのフォーカシングの際に移動する方向を示している。
【００１７】
各図において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表す。
【００１８】
実施の形態１〜５に係る単焦点レンズ系は、物体側から像側へと順に、正のパワーを有する第１レンズ群Ｇ１と、負のパワーを有する第２レンズ群Ｇ２と、正のパワーを有する第３レンズ群Ｇ３とを備える。また、第１レンズ群Ｇ１内には、開口絞りＡが設けられている。
【００１９】
（実施の形態１）
図１に示すように、第１レンズ群Ｇ１は、物体側から像側へと順に、両凸形状の第１レンズ素子Ｌ１と、物体側に凸面を向けた正メニスカス形状の第２レンズ素子Ｌ２と、物体側に凸面を向けた負メニスカス形状の第３レンズ素子Ｌ３と、両凹形状の第４レンズ素子Ｌ４と、両凸形状の第５レンズ素子Ｌ５と、像側に凸面を向けた負メニスカス形状の第６レンズ素子Ｌ６と、像側に凸面を向けた正メニスカス形状の第７レンズ素子Ｌ７と、開口絞りＡと、両凸形状の第８レンズ素子Ｌ８とからなる。これらのうち、第４レンズ素子Ｌ４と第５レンズ素子Ｌ５とは接合されており、第６レンズ素子Ｌ６と第７レンズ素子Ｌ７とは接合されている。第８レンズ素子Ｌ８は、その物体側面が非球面である。
【００２０】
第２レンズ群Ｇ２は、物体側に凸面を向けた負メニスカス形状の第９レンズ素子Ｌ９のみからなる。
【００２１】
第３レンズ群Ｇ３は、物体側から像側へと順に、物体側に凸面を向けた正メニスカス形状の第１０レンズ素子Ｌ１０と、物体側に凸面を向けた正メニスカス形状の第１１レンズ素子Ｌ１１と、物体側に凸面を向けた負メニスカス形状の第１２レンズ素子Ｌ１２と、両凸形状の第１３レンズ素子Ｌ１３と、両凹形状の第１４レンズ素子Ｌ１４と、平行平板Ｌ１５とからなる。これらのうち、第１３レンズ素子Ｌ１３と第１４レンズ素子Ｌ１４とは接合されている。第１１レンズ素子Ｌ１１は、その物体側面が非球面である。
【００２２】
無限遠合焦状態から近接物体合焦状態へのフォーカシングの際に、第１レンズ群Ｇ１及び第３レンズ群Ｇ３は、像面Ｓに対して固定されており、フォーカシングレンズ群である第２レンズ群Ｇ２は、光軸に沿って像側へ移動する。
【００２３】
なお、第１１レンズ素子Ｌ１１が、像のぶれを光学的に補正するために光軸に対して垂直方向に移動する像ぶれ補正レンズ群に相当する。
【００２４】
（実施の形態２）
図３に示すように、第１レンズ群Ｇ１は、物体側から像側へと順に、両凸形状の第１レンズ素子Ｌ１と、物体側に凸面を向けた正メニスカス形状の第２レンズ素子Ｌ２と、物体側に凸面を向けた負メニスカス形状の第３レンズ素子Ｌ３と、両凹形状の第４レンズ素子Ｌ４と、両凸形状の第５レンズ素子Ｌ５と、像側に凸面を向けた負メニスカス形状の第６レンズ素子Ｌ６と、像側に凸面を向けた正メニスカス形状の第７レンズ素子Ｌ７と、開口絞りＡと、両凸形状の第８レンズ素子Ｌ８とからなる。これらのうち、第４レンズ素子Ｌ４と第５レンズ素子Ｌ５とは接合されており、第６レンズ素子Ｌ６と第７レンズ素子Ｌ７とは接合されている。第８レンズ素子Ｌ８は、その物体側面が非球面である。
【００２５】
第２レンズ群Ｇ２は、物体側に凸面を向けた負メニスカス形状の第９レンズ素子Ｌ９のみからなる。
【００２６】
第３レンズ群Ｇ３は、物体側から像側へと順に、物体側に凸面を向けた正メニスカス形状の第１０レンズ素子Ｌ１０と、物体側に凸面を向けた正メニスカス形状の第１１レンズ素子Ｌ１１と、物体側に凸面を向けた負メニスカス形状の第１２レンズ素子Ｌ１２と、両凸形状の第１３レンズ素子Ｌ１３と、両凹形状の第１４レンズ素子Ｌ１４と、平行平板Ｌ１５とからなる。これらのうち、第１３レンズ素子Ｌ１３と第１４レンズ素子Ｌ１４とは接合されている。第１１レンズ素子Ｌ１１は、その物体側面が非球面である。
【００２７】
無限遠合焦状態から近接物体合焦状態へのフォーカシングの際に、第１レンズ群Ｇ１及び第３レンズ群Ｇ３は、像面Ｓに対して固定されており、フォーカシングレンズ群である第２レンズ群Ｇ２は、光軸に沿って像側へ移動する。
【００２８】
なお、第１１レンズ素子Ｌ１１が、像のぶれを光学的に補正するために光軸に対して垂直方向に移動する像ぶれ補正レンズ群に相当する。
【００２９】
（実施の形態３）
図５に示すように、第１レンズ群Ｇ１は、物体側から像側へと順に、両凸形状の第１レンズ素子Ｌ１と、物体側に凸面を向けた正メニスカス形状の第２レンズ素子Ｌ２と、物体側に凸面を向けた負メニスカス形状の第３レンズ素子Ｌ３と、開口絞りＡと、両凹形状の第４レンズ素子Ｌ４と、両凸形状の第５レンズ素子Ｌ５と、像側に凸面を向けた負メニスカス形状の第６レンズ素子Ｌ６と、像側に凸面を向けた正メニスカス形状の第７レンズ素子Ｌ７と、両凸形状の第８レンズ素子Ｌ８とからなる。これらのうち、第４レンズ素子Ｌ４と第５レンズ素子Ｌ５とは接合されており、第６レンズ素子Ｌ６と第７レンズ素子Ｌ７とは接合されている。第８レンズ素子Ｌ８は、その物体側面が非球面である。
【００３０】
第２レンズ群Ｇ２は、物体側に凸面を向けた負メニスカス形状の第９レンズ素子Ｌ９のみからなる。
【００３１】
第３レンズ群Ｇ３は、物体側から像側へと順に、物体側に凸面を向けた正メニスカス形状の第１０レンズ素子Ｌ１０と、物体側に凸面を向けた正メニスカス形状の第１１レンズ素子Ｌ１１と、物体側に凸面を向けた負メニスカス形状の第１２レンズ素子Ｌ１２と、両凸形状の第１３レンズ素子Ｌ１３と、両凹形状の第１４レンズ素子Ｌ１４と、平行平板Ｌ１５とからなる。これらのうち、第１３レンズ素子Ｌ１３と第１４レンズ素子Ｌ１４とは接合されている。第１１レンズ素子Ｌ１１は、その物体側面が非球面である。
【００３２】
無限遠合焦状態から近接物体合焦状態へのフォーカシングの際に、第１レンズ群Ｇ１及び第３レンズ群Ｇ３は、像面Ｓに対して固定されており、フォーカシングレンズ群である第２レンズ群Ｇ２は、光軸に沿って像側へ移動する。
【００３３】
なお、第１１レンズ素子Ｌ１１が、像のぶれを光学的に補正するために光軸に対して垂直方向に移動する像ぶれ補正レンズ群に相当する。
【００３４】
（実施の形態４）
図７に示すように、第１レンズ群Ｇ１は、物体側から像側へと順に、両凸形状の第１レンズ素子Ｌ１と、物体側に凸面を向けた正メニスカス形状の第２レンズ素子Ｌ２と、物体側に凸面を向けた負メニスカス形状の第３レンズ素子Ｌ３と、開口絞りＡと、像側に凸面を向けた負メニスカス形状の第４レンズ素子Ｌ４と、像側に凸面を向けた正メニスカス形状の第５レンズ素子Ｌ５と、両凹形状の第６レンズ素子Ｌ６と、両凸形状の第７レンズ素子Ｌ７と、両凸形状の第８レンズ素子Ｌ８とからなる。これらのうち、第４レンズ素子Ｌ４と第５レンズ素子Ｌ５とは接合されており、第６レンズ素子Ｌ６と第７レンズ素子Ｌ７とは接合されている。第８レンズ素子Ｌ８は、その物体側面が非球面である。
【００３５】
第２レンズ群Ｇ２は、物体側に凸面を向けた負メニスカス形状の第９レンズ素子Ｌ９のみからなる。
【００３６】
第３レンズ群Ｇ３は、物体側から像側へと順に、物体側に凸面を向けた正メニスカス形状の第１０レンズ素子Ｌ１０と、両凸形状の第１１レンズ素子Ｌ１１と、物体側に凸面を向けた負メニスカス形状の第１２レンズ素子Ｌ１２と、両凸形状の第１３レンズ素子Ｌ１３と、両凹形状の第１４レンズ素子Ｌ１４と、平行平板Ｌ１５とからなる。これらのうち、第１３レンズ素子Ｌ１３と第１４レンズ素子Ｌ１４とは接合されている。第１１レンズ素子Ｌ１１は、その物体側面が非球面である。
【００３７】
無限遠合焦状態から近接物体合焦状態へのフォーカシングの際に、第１レンズ群Ｇ１及び第３レンズ群Ｇ３は、像面Ｓに対して固定されており、フォーカシングレンズ群である第２レンズ群Ｇ２は、光軸に沿って像側へ移動する。
【００３８】
なお、第１１レンズ素子Ｌ１１が、像のぶれを光学的に補正するために光軸に対して垂直方向に移動する像ぶれ補正レンズ群に相当する。
【００３９】
（実施の形態５）
図９に示すように、第１レンズ群Ｇ１は、物体側から像側へと順に、両凸形状の第１レンズ素子Ｌ１と、物体側に凸面を向けた正メニスカス形状の第２レンズ素子Ｌ２と、物体側に凸面を向けた負メニスカス形状の第３レンズ素子Ｌ３と、両凹形状の第４レンズ素子Ｌ４と、両凸形状の第５レンズ素子Ｌ５と、両凹形状の第６レンズ素子Ｌ６と、両凸形状の第７レンズ素子Ｌ７と、開口絞りＡと、両凸形状の第８レンズ素子Ｌ８とからなる。これらのうち、第４レンズ素子Ｌ４と第５レンズ素子Ｌ５とは接合されており、第６レンズ素子Ｌ６と第７レンズ素子Ｌ７とは接合されている。第８レンズ素子Ｌ８は、その物体側面が非球面である。
【００４０】
第２レンズ群Ｇ２は、物体側に凸面を向けた負メニスカス形状の第９レンズ素子Ｌ９のみからなる。
【００４１】
第３レンズ群Ｇ３は、物体側から像側へと順に、物体側に凸面を向けた正メニスカス形状の第１０レンズ素子Ｌ１０と、物体側に凸面を向けた正メニスカス形状の第１１レンズ素子Ｌ１１と、物体側に凸面を向けた負メニスカス形状の第１２レンズ素子Ｌ１２と、両凸形状の第１３レンズ素子Ｌ１３と、両凹形状の第１４レンズ素子Ｌ１４と、平行平板Ｌ１５とからなる。これらのうち、第１３レンズ素子Ｌ１３と第１４レンズ素子Ｌ１４とは接合されている。第１１レンズ素子Ｌ１１は、その物体側面が非球面である。
【００４２】
無限遠合焦状態から近接物体合焦状態へのフォーカシングの際に、第１レンズ群Ｇ１及び第３レンズ群Ｇ３は、像面Ｓに対して固定されており、フォーカシングレンズ群である第２レンズ群Ｇ２は、光軸に沿って像側へ移動する。
【００４３】
なお、第１１レンズ素子Ｌ１１が、像のぶれを光学的に補正するために光軸に対して垂直方向に移動する像ぶれ補正レンズ群に相当する。
【００４４】
実施の形態１〜５に係る単焦点レンズ系では、正のパワーを有する第１レンズ群Ｇ１が、物体側から像側へと順に連続して、負のパワーを有するレンズ素子Ａ、正のパワーを有するレンズ素子Ｂ、負のパワーを有するレンズ素子Ｃ及び正のパワーを有するレンズ素子Ｄからなる第１サブレンズ群Ｅを有するので、諸収差が充分に補正され、周辺部においてもクリアで高性能な単焦点レンズ系を実現することができる。
【００４５】
実施の形態１〜５に係る単焦点レンズ系では、前記レンズ素子Ａと前記レンズ素子Ｂとが、互いに一方の光学面が貼り合わせられた接合レンズ素子であるので、互いの偏心誤差による結像性能の低下が生じ難い。
【００４６】
実施の形態１〜５に係る単焦点レンズ系では、前記レンズ素子Ｃと前記レンズ素子Ｄとが、互いに一方の光学面が貼り合わせられた接合レンズ素子であるので、互いの偏心誤差による結像性能の低下が生じ難い。
【００４７】
実施の形態１〜５に係る単焦点レンズ系では、第１レンズ群Ｇ１が、前記第１サブレンズ群Ｅよりも物体側に、正のパワーを有するレンズ素子Ｆ及び負のパワーを有するレンズ素子Ｇを有するので、レンズ系の全長を短くすることができる。
【００４８】
実施の形態１〜５に係る単焦点レンズ系では、第２レンズ群Ｇ２内の、少なくとも１枚のレンズ素子で構成される第２サブレンズ群であるフォーカシングレンズ群が、負のパワーを有する１枚のレンズ素子Ｈからなるので、フォーカシング距離に応じた収差の変動が小さく、またフォーカシングレンズ群が軽量であるので、高速フォーカシングが容易である。
【００４９】
実施の形態１〜５に係る単焦点レンズ系では、開口絞りＡと、該開口絞りＡよりも像側に配置され、負のパワーを有するレンズ素子とを備えているので、周辺部における色収差を良好に補正することができる。
【００５０】
実施の形態１〜５に係る単焦点レンズ系のように、像ぶれ補正レンズ群を備えていることが有益である。該像ぶれ補正レンズ群により、全系の振動による像点移動を補正することができる。
【００５１】
全系の振動による像点移動を補正する際に、このように像ぶれ補正レンズ群が光軸に対して垂直方向に移動することにより、レンズ系全体の大型化を抑制してコンパクトに構成しながら、偏心コマ収差や偏心非点収差が小さい優れた結像特性を維持して像ぶれの補正を行うことができる。
【００５２】
以上のように、本出願において開示する技術の例示として、実施の形態１〜５を説明した。しかしながら、本開示における技術は、これに限定されず、適宜、変更、置き換え、付加、省略などを行った実施の形態にも適用可能である。
【００５３】
以下、例えば実施の形態１〜５に係る単焦点レンズ系のごとき単焦点レンズ系が満足することが可能な条件を説明する。なお、各実施の形態に係る単焦点レンズ系に対して、複数の可能な条件が規定されるが、これら複数の条件すべてを満足する単焦点レンズ系の構成が最も効果的である。しかしながら、個別の条件を満足することにより、それぞれ対応する効果を奏する単焦点レンズ系を得ることも可能である。
【００５４】
例えば実施の形態１〜５に係る単焦点レンズ系のように、物体側から像側へと順に、少なくとも正のパワーを有する第１レンズ群と、パワーを有する第２レンズ群とを備え、前記第１レンズ群は、物体側から像側へと順に連続して、負のパワーを有するレンズ素子Ａと、正のパワーを有するレンズ素子Ｂと、負のパワーを有するレンズ素子Ｃと、正のパワーを有するレンズ素子Ｄとからなる第１サブレンズ群Ｅを有し、前記第２レンズ群内の、少なくとも１枚のレンズ素子で構成される第２サブレンズ群は、無限遠合焦状態から近接物体合焦状態へのフォーカシングの際に、像面に対して光軸方向に移動するフォーカシングレンズ群である（以下、このレンズ構成を、実施の形態の基本構成という）単焦点レンズ系は、以下の条件（１）〜（４）を満足する。
１．０＜｜ｆＷ／ｆＡ｜＜２．２  ・・・（１）
０．５＜ｆＷ／ｆＢ＜２．０  ・・・（２）
０．５＜｜ｆＷ／ｆＣ｜＜１．７  ・・・（３）
０．５＜ｆＷ／ｆＤ＜１．８  ・・・（４）
ここで、
ｆＷ：全系の無限遠合焦状態での焦点距離、
ｆＡ：レンズ素子Ａの焦点距離、
ｆＢ：レンズ素子Ｂの焦点距離、
ｆＣ：レンズ素子Ｃの焦点距離、
ｆＤ：レンズ素子Ｄの焦点距離
である。
【００５５】
前記条件（１）〜（４）は、各々レンズ素子Ａ〜Ｄの焦点距離を規定する条件である。条件（１）〜（４）の下限を下回ると、フォーカシングレンズ群を移動させる間隔を確保することができなくなり、その結果、周辺部におけるコマ収差の補正が不充分となる。条件（１）〜（４）の上限を上回ると、レンズ素子Ａ〜Ｄで発生する色収差の補正が困難になる。
【００５６】
以下の条件（１）’及び（１）’’の少なくとも１つを満足することにより、前記効果をさらに奏功させることができる。
１．２＜｜ｆＷ／ｆＡ｜  ・・・（１）’
｜ｆＷ／ｆＡ｜＜２．０  ・・・（１）’’
【００５７】
以下の条件（２）’及び（２）’’の少なくとも１つを満足することにより、前記効果をさらに奏功させることができる。
０．７＜ｆＷ／ｆＢ  ・・・（２）’
ｆＷ／ｆＢ＜１．８  ・・・（２）’’
【００５８】
以下の条件（３）’及び（３）’’の少なくとも１つを満足することにより、前記効果をさらに奏功させることができる。
０．７＜｜ｆＷ／ｆＣ｜  ・・・（３）’
｜ｆＷ／ｆＣ｜＜１．５  ・・・（３）’’
【００５９】
以下の条件（４）’及び（４）’’の少なくとも１つを満足することにより、前記効果をさらに奏功させることができる。
０．７＜ｆＷ／ｆＤ  ・・・（４）’
ｆＷ／ｆＤ＜１．６  ・・・（４）’’
【００６０】
例えば実施の形態１〜５に係る単焦点レンズ系のように、基本構成を有し、第１レンズ群が、第１サブレンズ群Ｅよりも物体側に、正のパワーを有するレンズ素子Ｆと、負のパワーを有するレンズ素子Ｇとを有する単焦点レンズ系は、以下の条件（５）を満足することが有益である。
０．７＜（Ｒ１Ｇ＋Ｒ２Ｇ）／（Ｒ１Ｇ−Ｒ２Ｇ）＜２．２  ・・・（５）
ここで、
Ｒ１Ｇ：レンズ素子Ｇの物体側面の曲率半径、
Ｒ２Ｇ：レンズ素子Ｇの像側面の曲率半径
である。
【００６１】
前記条件（５）は、レンズ素子Ｇのシェイプファクターを規定する条件である。条件（５）の下限を下回ると、レンズ素子Ｇの有効径付近を通る光線の収差が増大し、コマ収差が発生し易く、結像性能が低下するおそれがある。条件（５）の上限を上回ると、レンズ素子Ｇの加工上の難度が高くなり、部品コストが上昇するおそれがある。
【００６２】
以下の条件（５）’及び（５）’’の少なくとも１つを満足することにより、前記効果をさらに奏功させることができる。
１．０＜（Ｒ１Ｇ＋Ｒ２Ｇ）／（Ｒ１Ｇ−Ｒ２Ｇ）  ・・・（５）’
（Ｒ１Ｇ＋Ｒ２Ｇ）／（Ｒ１Ｇ−Ｒ２Ｇ）＜１．９  ・・・（５）’’
【００６３】
例えば実施の形態１〜５に係る単焦点レンズ系のように、基本構成を有し、フォーカシングレンズ群が、負のパワーを有する１枚のレンズ素子Ｈからなる単焦点レンズ系は、以下の条件（６）を満足することが有益である。
０．８＜｜ｆＷ／ｆＨ｜＜１．２  ・・・（６）
ここで、
ｆＷ：全系の無限遠合焦状態での焦点距離、
ｆＨ：レンズ素子Ｈの焦点距離
である。
【００６４】
前記条件（６）は、レンズ素子Ｈの焦点距離を規定する条件である。条件（６）の下限を下回ると、フォーカシングレンズ群の移動量が大きくなり、レンズ系全体の全長が長くなるおそれがある。条件（６）の上限を上回ると、フォーカシングレンズ群によって大きな収差が発生するため、フォーカシング距離に応じた収差の変化が大きくなるおそれがある。
【００６５】
以下の条件（６）’及び（６）’’の少なくとも１つを満足することにより、前記効果をさらに奏功させることができる。
０．９＜｜ｆＷ／ｆＨ｜  ・・・（６）’
｜ｆＷ／ｆＨ｜＜１．１  ・・・（６）’’
【００６６】
例えば実施の形態１〜５に係る単焦点レンズ系のように、基本構成を有し、開口絞りと、該開口絞りよりも像側に配置され、負のパワーを有するレンズ素子とを備える単焦点レンズ系において、該レンズ素子の少なくとも１枚であるレンズ素子Ｉが、以下の条件（７）を満足することが有益である。
０．６３８＜０．００１８×ｖｄＩ＋ＰｇＦＩ＜０．６５２  ・・・（７）
ここで、
ｖｄＩ：レンズ素子Ｉのｄ線に対するアッベ数、
ＰｇＦＩ：レンズ素子Ｉのｇ線とＦ線との部分分散比（ｇ線に対する屈折率とＦ線に対する屈折率との差と、Ｆ線に対する屈折率とＣ線に対する屈折率との差との比）
である。
【００６７】
前記条件（７）は、レンズ素子Ｉの部分分散比を規定する条件である。条件（７）の下限を下回ると、レンズ素子Ｉによる色収差の補正が過剰になり、その結果、色収差が良好に補正されないおそれがある。条件（７）の上限を上回ると、レンズ素子Ｉによる色収差の補正が不足し、その結果、色収差の補正が不充分となるおそれがある。
【００６８】
以下の条件（７）’及び（７）’’の少なくとも１つを満足することにより、前記効果をさらに奏功させることができる。
０．６４３＜０．００１８×ｖｄＩ＋ＰｇＦＩ  ・・・（７）’
０．００１８×ｖｄＩ＋ＰｇＦＩ＜０．６４８  ・・・（７）’’
【００６９】
実施の形態１〜５に係る単焦点レンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、有益である。
【００７０】
（実施の形態６）
図１１は、実施の形態６に係るレンズ交換式デジタルカメラシステムの概略構成図である。
【００７１】
本実施の形態６に係るレンズ交換式デジタルカメラシステム１００は、カメラ本体１０１と、カメラ本体１０１に着脱自在に接続される交換レンズ装置２０１とを備える。
【００７２】
カメラ本体１０１は、交換レンズ装置２０１の単焦点レンズ系２０２によって形成される光学像を受光して、電気的な画像信号に変換する撮像素子１０２と、撮像素子１０２によって変換された画像信号を表示する液晶モニタ１０３と、カメラマウント部１０４とを含む。一方、交換レンズ装置２０１は、実施の形態１〜５いずれかに係る単焦点レンズ系２０２と、単焦点レンズ系２０２を保持する鏡筒２０３と、カメラ本体１０１のカメラマウント部１０４に接続されるレンズマウント部２０４とを含む。カメラマウント部１０４及びレンズマウント部２０４は、物理的な接続のみならず、カメラ本体１０１内のコントローラ（図示せず）と交換レンズ装置２０１内のコントローラ（図示せず）とを電気的に接続し、相互の信号のやり取りを可能とするインターフェースとしても機能する。なお、図１１においては、単焦点レンズ系２０２として実施の形態１に係る単焦点レンズ系を用いた場合を図示している。
【００７３】
本実施の形態６では、実施の形態１〜５いずれかに係る単焦点レンズ系２０２を用いているので、コンパクトで結像性能に優れた交換レンズ装置を低コストで実現することができる。また、本実施の形態６に係るカメラシステム１００全体の小型化及び低コスト化も達成することができる。
【００７４】
以上のように、本出願において開示する技術の例示として、実施の形態６を説明した。しかしながら、本開示における技術は、これに限定されず、適宜、変更、置き換え、付加、省略などを行った実施の形態にも適用可能である。
【００７５】
以下、実施の形態１〜５に係る単焦点レンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、νｄはｄ線に対するアッベ数である。
【００７６】
また、各数値実施例において、ｎＣはＣ線に対する屈折率、ｎＦはＦ線に対する屈折率、ｎｇはｇ線に対する屈折率である。ＰｇＦはｇ線とＦ線との部分分散比であり、次式により求められる。
ＰｇＦ＝（ｎｇ−ｎＦ）／（ｎＦ−ｎＣ）
【００７７】
さらに、各数値実施例において、＊印を付した面は非球面であり、非球面形状は次式で定義している。
【数１】
2015146015.tif 000003
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【００７８】
図２、４、６、８及び１０は、各々数値実施例１〜５に係る単焦点レンズ系の無限遠合焦状態の縦収差図である。
【００７９】
各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）、一点破線はｇ線（ｇ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【００８０】
（数値実施例１）
数値実施例１の単焦点レンズ系は、図１に示した実施の形態１に対応する。数値実施例１の単焦点レンズ系の面データ１を表１に、面データ２を表２に、非球面データを表３に、各種データを表４に、単レンズデータを表５に、レンズ群データを表６に、レンズ群倍率を表７に示す。
【００８１】
表  １（面データ１）
面番号         r           d           nd         vd                
物面             ∞        可変                                   
1         88.94930     4.58050     2.00069    25.5               
2       -293.91700     0.40000                                   
3         22.68640     3.92870     1.91082    35.2               
4         27.22530     2.86230                                   
5         66.14630     0.90000     1.71736    29.5               
6         19.53600     7.77990                                   
7        -32.89550     0.85000     1.74077    27.8               
8         36.44520     6.43410     1.72916    54.7               
9        -38.90630     1.90760                                   
10        -24.22570     0.85000     1.73800    32.3               
11       -251.20070     4.84910     1.91082    35.2               
12        -31.32990     0.90000                                   
13(絞り)           ∞     1.00000                                   
14*        36.01210     4.92270     1.77250    49.5               
15       -275.66870        可変                                   
16        426.03380     0.80000     1.64769    33.8               
17         24.44100        可変                                   
18         21.71480     2.45220     1.49700    81.6               
19         26.40490     2.51260                                   
20*        32.71250     3.18080     1.77250    49.5               
21        265.86480     0.63830                                   
22         59.22490     0.90000     1.58144    40.9               
23         20.26200     2.88110                                   
24         41.21880     5.48590     1.91082    35.2               
25        -28.46500     0.90000     1.72047    34.7               
26        152.64250    14.89890                                   
27               ∞     4.20000     1.51680    64.2               
28               ∞     1.00000                                   
29               ∞        (BF)                                   
像面             ∞                                               
【００８２】
表  ２（面データ２）
面番号      nC          nF          ng         PgF
物面
1     1.98941     2.02872     2.05283     0.61349
2
3     1.90323     1.92907     1.94412     0.58210
4
5     1.71032     1.73464     1.74931     0.60338
6
7     1.73307     1.75976     1.77597     0.60762
8     1.72510     1.73844     1.74571     0.54521
9
10     1.73131     1.75418     1.76768     0.58981
11     1.90323     1.92907     1.94412     0.58210
12
13(絞り)
14*    1.76781     1.78343     1.79208     0.55383
15
16     1.64210     1.66124     1.67258     0.59229
17
18     1.49514     1.50123     1.50451     0.53875
19
20*    1.76781     1.78343     1.79208     0.55383
21
22     1.57723     1.59145     1.59965     0.57667
23
24     1.90323     1.92907     1.94412     0.58210
25     1.71437     1.73512     1.74723     0.58336
26
27     1.51432     1.52237     1.52667     0.53418
28
29
像面
【００８３】
表  ３（非球面データ）
第14面
K= 0.00000E+00, A4=-8.82474E-07, A6=-2.66575E-08, A8= 6.28551E-10 
A10=-8.63242E-12, A12= 7.02096E-14, A14=-3.41463E-16, A16= 9.61591E-19 
A18=-1.41336E-21, A20= 8.03991E-25 
第20面
K= 0.00000E+00, A4=-2.65682E-06, A6= 7.87795E-08, A8=-3.97424E-09 
A10= 1.04942E-10, A12=-1.57641E-12, A14= 1.36945E-14, A16=-6.66305E-17 
A18= 1.60419E-19, A20=-1.29884E-22 
【００８４】
表  ４（各種データ）
物体距離       無限遠      3000       500
焦点距離      41.6492   41.8063   42.1991
Ｆナンバー     1.24560   1.26075   1.35227
画角        14.7086   14.4923   13.2820
像高        10.8150   10.8150   10.8150
レンズ全長     90.6000   90.6001   90.6000
ＢＦ        0.00021   0.00016   0.00013
d0               ∞ 2909.4000  409.3999 
d15          1.6999    2.3739    6.5910 
d17          6.8852    6.2113    1.9942 
入射瞳位置     40.6049   40.6049   40.6049
射出瞳位置    -63.5721  -62.8654  -57.6787
前側主点位置   54.9677   54.3424   49.4594
後側主点位置   48.9508   48.1956   44.1270
【００８５】
表  ５（単レンズデータ）
レンズ     始面     焦点距離
1         1       68.6476
2         3      105.7644
3         5      -38.9618
4         7      -23.2191
5         8       26.7714
6        10      -36.3877
7        11       38.8899
8        14       41.5170
9        16      -40.0636
10        18      209.5996
11        20       48.0021
12        22      -53.4238
13        24       19.2066
14        25      -33.2302
【００８６】
表  ６（レンズ群データ）
群   始面    焦点距離  レンズ構成長    前側主点位置  後側主点位置
1      1    43.10776    42.16490        33.81980      32.46247
2     16   -40.06361     0.80000         0.51548       0.82957
3     18    34.93666    38.04980         5.64129      11.58964
【００８７】
表  ７（レンズ群倍率）
群   始面     無限遠       3000        500
1      1    0.00000   -0.01486   -0.10774
2     16    4.51489    4.49804    4.39276
3     18    0.21400    0.21400    0.21400
【００８８】
（数値実施例２）
数値実施例２の単焦点レンズ系は、図３に示した実施の形態２に対応する。数値実施例２の単焦点レンズ系の面データ１を表８に、面データ２を表９に、非球面データを表１０に、各種データを表１１に、単レンズデータを表１２に、レンズ群データを表１３に、レンズ群倍率を表１４に示す。
【００８９】
表  ８（面データ１）
面番号         r           d           nd         vd                
物面             ∞        可変                                   
1         77.24110     7.86100     2.00069    25.5               
2       -454.06400     0.40000                                   
3         23.50000     4.08050     1.91082    35.2               
4         26.08370     3.28640                                   
5         94.73440     0.85000     1.71736    29.5               
6         21.23810     7.31810                                   
7        -39.81540     0.85000     1.74077    27.8               
8         30.62730     6.39050     1.72916    54.7               
9        -44.51940     2.41920                                   
10        -22.73940     0.85000     1.73800    32.3               
11      -1257.01650     5.28010     1.91082    35.2               
12        -30.29050     0.70000                                   
13(絞り)           ∞     1.20000                                   
14*        34.65150     5.03540     1.77010    49.7               
15       -258.09340        可変                                   
16        526.41930     0.80000     1.64769    33.8               
17         24.44100        可変                                   
18         21.87260     2.41740     1.49700    81.6               
19         26.40490     2.54860                                   
20*        32.24480     3.28000     1.77010    49.7               
21        334.08030     0.69260                                   
22         51.69870     0.80000     1.58144    40.9               
23         20.04070     3.14480                                   
24         44.73170     5.51820     1.91082    35.2               
25        -28.10000     0.90000     1.72047    34.7               
26        175.01140    14.70850                                   
27               ∞     4.20000     1.51680    64.2               
28               ∞     1.00000                                   
29               ∞        (BF)                                   
像面             ∞                                               
【００９０】
表  ９（面データ２）
面番号      nC          nF          ng         PgF
物面
1     1.98941     2.02872     2.05283     0.61349
2
3     1.90323     1.92907     1.94412     0.58210
4
5     1.71032     1.73464     1.74931     0.60338
6
7     1.73307     1.75976     1.77597     0.60762
8     1.72510     1.73844     1.74571     0.54521
9
10     1.73131     1.75418     1.76768     0.58981
11     1.90323     1.92907     1.94412     0.58210
12
13(絞り)
14*    1.76546     1.78094     1.78951     0.55362
15
16     1.64210     1.66124     1.67258     0.59229
17
18     1.49514     1.50123     1.50451     0.53875
19
20*    1.76546     1.78094     1.78951     0.55362
21
22     1.57723     1.59145     1.59965     0.57667
23
24     1.90323     1.92907     1.94412     0.58210
25     1.71437     1.73512     1.74723     0.58336
26
27     1.51432     1.52237     1.52667     0.53418
28
29
像面
【００９１】
表  １０（非球面データ）
第14面
K=-1.21441E+00, A4= 1.69261E-06, A6=-2.97759E-10, A8=-1.18197E-11 
A10= 1.53249E-13, A12=-8.86678E-16, A14= 2.69151E-18, A16=-3.39814E-21 
第20面
K=-7.00895E-01, A4= 3.73040E-07, A6=-2.51570E-10, A8=-8.48385E-11 
A10= 2.42112E-12, A12=-2.98471E-14, A14= 1.53718E-16, A16=-2.79807E-19 
【００９２】
表  １１（各種データ）
物体距離       無限遠      3000       500
焦点距離      41.6506   41.8375   42.3990
Ｆナンバー     1.24315   1.25856   1.35201
画角        14.7084   14.4893   13.2614
像高        10.8150   10.8150   10.8150
レンズ全長     95.4000   95.3999   95.4000
ＢＦ        0.00016   0.00021   0.00017
d0               ∞ 2904.6000  404.6000 
d15          1.7146    2.3936    6.6492 
d17          7.1539    6.4748    2.2193 
入射瞳位置     44.7958   44.7958   44.7958
射出瞳位置    -67.5748  -66.7274  -60.6403
前側主点位置   60.7746   60.1641   55.2841
後側主点位置   53.7494   52.9635   48.6950
【００９３】
表  １２（単レンズデータ）
レンズ     始面     焦点距離
1         1       66.4578
2         3      148.6026
3         5      -38.3463
4         7      -23.2496
5         8       25.8098
6        10      -31.3891
7        11       34.0076
8        14       39.9691
9        16      -39.5978
10        18      217.8248
11        20       46.1259
12        22      -56.8143
13        24       19.6581
14        25      -33.5443
【００９４】
表  １３（レンズ群データ）
群   始面    焦点距離  レンズ構成長    前側主点位置  後側主点位置
1      1    43.38446    46.52120        38.19841      36.66683
2     16   -39.59778     0.80000         0.50949       0.82365
3     18    34.33787    38.21010         5.90241      11.77538
【００９５】
表  １４（レンズ群倍率）
群   始面     無限遠       3000        500
1      1    0.00000   -0.01496   -0.10862
2     16    4.77555    4.75843    4.65093
3     18    0.20103    0.20103    0.20103
【００９６】
（数値実施例３）
数値実施例３の単焦点レンズ系は、図５に示した実施の形態３に対応する。数値実施例３の単焦点レンズ系の面データ１を表１５に、面データ２を表１６に、非球面データを表１７に、各種データを表１８に、単レンズデータを表１９に、レンズ群データを表２０に、レンズ群倍率を表２１に示す。
【００９７】
表  １５（面データ１）
面番号         r           d           nd         vd                
物面             ∞        可変                                   
1         76.96680     4.76250     2.00100    29.1               
2       -290.73050     0.20000                                   
3         32.27850     4.04780     1.88300    40.8               
4         41.46700     2.70050                                   
5        894.69020     1.00000     1.67270    32.2               
6         24.88580     6.36550                                   
7(絞り)           ∞     4.87350                                   
8        -24.32160     1.00000     1.76182    26.6               
9        239.09760     6.50920     1.77250    49.6               
10        -26.83850     1.35340                                   
11        -22.94790     1.00000     1.75520    27.5               
12        -62.93820     4.59630     2.00100    29.1               
13        -29.83020     0.30000                                   
14*        40.79560     5.32550     1.77250    49.5               
15       -446.84950        可変                                   
16        143.56160     1.00000     1.74950    35.0               
17         27.30810        可変                                   
18         28.11450     2.35410     1.77250    49.6               
19         35.50980     3.11430                                   
20*        29.61930     3.98360     1.62262    58.2               
21        495.24750     0.80000                                   
22         42.40510     1.33370     1.61293    37.0               
23         20.54420     3.58570                                   
24         53.39040     4.95310     1.91082    35.2               
25        -37.77650     1.00840     1.68893    31.2               
26        109.72380    15.11910                                   
27               ∞     4.20000     1.51680    64.2               
28               ∞     1.00000                                   
29               ∞        (BF)                                   
像面             ∞                                               
【００９８】
表  １６（面データ２）
面番号      nC          nF          ng         PgF
物面
1     1.99105     2.02540     2.04600     0.59937
2
3     1.87657     1.89821     1.91044     0.56543
4
5     1.66661     1.68752     1.69999     0.59618
6
7(絞り)
8     1.75359     1.78222     1.79975     0.61218
9     1.76780     1.78336     1.79193     0.55025
10
11     1.74729     1.77473     1.79143     0.60898
12     1.99105     2.02540     2.04600     0.59937
13
14*    1.76781     1.78343     1.79208     0.55383
15
16     1.74325     1.76464     1.77727     0.59053
17
18     1.76780     1.78336     1.79193     0.55025
19
20*    1.61935     1.63005     1.63582     0.53900
21
22     1.60805     1.62463     1.63433     0.58493
23
24     1.90323     1.92907     1.94412     0.58210
25     1.68251     1.70462     1.71786     0.59886
26
27     1.51432     1.52237     1.52667     0.53418
28
29
像面
【００９９】
表  １７（非球面データ）
第14面
K= 0.00000E+00, A4=-9.65376E-07, A6= 6.71575E-09, A8=-1.33640E-10 
A10= 1.24173E-12, A12=-6.02517E-15, A14= 1.46685E-17, A16=-1.41585E-20 
第20面
K= 0.00000E+00, A4=-2.62182E-06, A6= 1.20313E-09, A8=-1.20966E-10 
A10= 1.83438E-12, A12=-1.45822E-14, A14= 5.71708E-17, A16=-8.81636E-20 
【０１００】
表  １８（各種データ）
物体距離       無限遠      3000       500
焦点距離      41.6503   41.7892   42.1270
Ｆナンバー     1.24206   1.24976   1.29570
画角        14.7082   14.5995   13.9484
像高        10.8150   10.8150   10.8150
レンズ全長     95.9997   95.9997   95.9998
ＢＦ       -0.00008  -0.00005  -0.00009
d0               ∞ 2904.0000  403.9999 
d15          1.7998    2.5219    7.0791 
d17          7.7138    6.9917    2.4346 
入射瞳位置     20.3463   20.3463   20.3463
射出瞳位置   -238.8686 -219.6199 -143.2799
前側主点位置   54.7343   54.1621   49.7028
後側主点位置   54.3494   53.6118   49.5608
【０１０１】
表  １９（単レンズデータ）
レンズ     始面     焦点距離
1         1       61.1915
2         3      136.7273
3         5      -38.0699
4         8      -28.9305
5         9       31.5730
6        11      -48.3436
7        12       52.9715
8        14       48.6232
9        16      -45.1602
10        18      153.4624
11        20       50.4322
12        22      -66.5603
13        24       24.9350
14        25      -40.6766
【０１０２】
表  ２０（レンズ群データ）
群   始面    焦点距離  レンズ構成長    前側主点位置  後側主点位置
1      1    44.65502    44.03420        37.31080      37.30459
2     16   -45.16016     1.00000         0.70847       1.13476
3     18    38.29881    40.45200         4.55643      10.85987
【０１０３】
表  ２１（レンズ群倍率）
群   始面     無限遠       3000        500
1      1    0.00000   -0.01542   -0.11258
2     16    4.63513    4.61915    4.51822
3     18    0.20123    0.20123    0.20123
【０１０４】
（数値実施例４）
数値実施例４の単焦点レンズ系は、図７に示した実施の形態４に対応する。数値実施例４の単焦点レンズ系の面データ１を表２２に、面データ２を表２３に、非球面データを表２４に、各種データを表２５に、単レンズデータを表２６に、レンズ群データを表２７に、レンズ群倍率を表２８に示す。
【０１０５】
表  ２２（面データ１）
面番号         r           d           nd         vd                
物面             ∞        可変                                   
1         71.90420     4.42610     2.00069    25.5               
2       -674.87120     0.40000                                   
3         21.22720     4.30050     1.61800    63.4               
4         25.97790     3.28500                                   
5         77.87910     1.00000     1.76182    26.6               
6         19.51480     6.96610                                   
7(絞り)           ∞     4.95400                                   
8        -21.74970     1.00000     1.74077    27.8               
9      -2150.83650     5.06090     1.59282    68.6               
10        -32.15270     0.20000                                   
11        -49.43860     1.00000     1.72825    28.3               
12         78.73590     6.95050     1.91082    35.2               
13        -38.23840     0.20000                                   
14*        39.82550     5.50220     1.77250    49.5               
15       -307.81190        可変                                   
16       1522.98390     0.80000     1.51823    59.0               
17         24.44100        可変                                   
18         22.04690     2.49880     1.49700    81.6               
19         26.40490     3.91370                                   
20*        29.45910     4.06100     1.58913    61.3               
21      -1173.86370     0.80000                                   
22         55.71410     1.19370     1.65412    39.7               
23         20.47170     3.02520                                   
24         42.22330     5.88690     1.88100    40.1               
25        -27.37590     1.00000     1.72047    34.7               
26        165.71190    14.89420                                   
27               ∞     4.20000     1.51680    64.2               
28               ∞     1.00000                                   
29               ∞        (BF)                                   
像面             ∞                                               
【０１０６】
表  ２３（面データ２）
面番号      nC          nF          ng         PgF
物面
1     1.98941     2.02872     2.05283     0.61349
2
3     1.61503     1.62478     1.63004     0.54002
4
5     1.75359     1.78222     1.79975     0.61218
6
7(絞り)
8     1.73307     1.75976     1.77597     0.60762
9     1.59021     1.59884     1.60354     0.54401
10
11     1.72082     1.74654     1.76211     0.60575
12     1.90323     1.92907     1.94412     0.58210
13
14*    1.76781     1.78343     1.79208     0.55383
15
16     1.51556     1.52435     1.52913     0.54407
17
18     1.49514     1.50123     1.50451     0.53875
19
20*    1.58618     1.59580     1.60097     0.53729
21
22     1.64923     1.66571     1.67516     0.57364
23
24     1.87450     1.89645     1.90896     0.56997
25     1.71437     1.73512     1.74723     0.58336
26
27     1.51432     1.52237     1.52667     0.53418
28
29
像面
【０１０７】
表  ２４（非球面データ）
第14面
K= 0.00000E+00, A4=-9.05394E-07, A6=-5.35979E-09, A8= 2.80118E-11 
A10=-1.50063E-14, A12=-1.18866E-15, A14= 1.02279E-17, A16=-4.14772E-20 
A18= 8.42737E-23, A20=-6.79062E-26 
第20面
K= 0.00000E+00, A4=-5.09864E-06, A6= 1.17106E-07, A8=-3.23255E-09 
A10= 4.57528E-11, A12=-3.41477E-13, A14= 9.69667E-16, A16= 3.21495E-18 
A18=-2.94143E-20, A20= 5.80037E-23 
【０１０８】
表  ２５（各種データ）
物体距離       無限遠      3000       500
焦点距離      41.6496   41.7858   42.1430
Ｆナンバー     1.24560   1.25185   1.28804
画角        14.6346   14.5431   14.0024
像高        10.8150   10.8150   10.8150
レンズ全長     97.5001   97.5001   97.5001
ＢＦ        0.00010   0.00018   0.00015
d0               ∞ 2902.5000  402.5000 
d15          1.8000    2.5260    7.0761 
d17          7.1812    6.4551    1.9051 
入射瞳位置     24.3729   24.3729   24.3729
射出瞳位置   -355.7955 -317.3435 -185.2870
前側主点位置   61.1470   60.6462   56.7051
後側主点位置   55.8505   55.1166   51.0987
【０１０９】
表  ２６（単レンズデータ）
レンズ     始面     焦点距離
1         1       65.1288
2         3      139.5679
3         5      -34.4362
4         8      -29.6668
5         9       55.0107
6        11      -41.5653
7        12       29.0821
8        14       45.9649
9        16      -47.9404
10        18      225.7939
11        20       48.8413
12        22      -50.1478
13        24       19.6288
14        25      -32.5396
【０１１０】
表  ２７（レンズ群データ）
群   始面    焦点距離  レンズ構成長    前側主点位置  後側主点位置
1      1    44.17039    45.24530        41.58426      38.38881
2     16   -47.94041     0.80000         0.53562       0.80860
3     18    39.42078    41.47350         6.99348      13.10313
【０１１１】
表  ２８（レンズ群倍率）
群   始面     無限遠       3000        500
1      1    0.00000   -0.01523   -0.11045
2     16    3.69850    3.68338    3.58846
3     18    0.25495    0.25495    0.25495
【０１１２】
（数値実施例５）
数値実施例５の単焦点レンズ系は、図９に示した実施の形態５に対応する。数値実施例５の単焦点レンズ系の面データ１を表２９に、面データ２を表３０に、非球面データを表３１に、各種データを表３２に、単レンズデータを表３３に、レンズ群データを表３４に、レンズ群倍率を表３５に示す。
【０１１３】
表  ２９（面データ１）
面番号         r           d           nd         vd                
物面             ∞        可変                                   
1         77.55080     5.70780     2.00069    25.5               
2       -407.46950     0.40000                                   
3         23.74930     4.08930     1.91082    35.2               
4         26.61730     3.19430                                   
5        104.03160     0.85000     1.71736    29.5               
6         21.73060     6.87150                                   
7        -41.75090     0.85000     1.74077    27.8               
8         32.11610     6.08100     1.72916    54.7               
9        -44.92420     2.12670                                   
10        -23.77070     1.13320     1.73800    32.3               
11        555.78350     5.73370     1.91082    35.2               
12        -32.90390     0.70000                                   
13(絞り)           ∞     1.20000                                   
14*        35.52720     4.85700     1.77010    49.7               
15       -251.64660        可変                                   
16        357.60090     0.80000     1.64769    33.8               
17         24.44100        可変                                   
18         21.87670     2.38880     1.49700    81.6               
19         26.40490     2.47480                                   
20*        31.66080     3.28000     1.77010    49.7               
21        350.88780     0.67810                                   
22         41.36620     1.01760     1.58144    40.9               
23         19.23350     3.29140                                   
24         48.25900     4.98310     1.91082    35.2               
25        -29.56530     0.90000     1.72047    34.7               
26        125.00040    14.82220                                   
27               ∞     4.20000     1.51680    64.2               
28               ∞     1.00000                                   
29               ∞        (BF)                                   
像面             ∞                                               
【０１１４】
表  ３０（面データ２）
面番号      nC          nF          ng         PgF
物面
1     1.98941     2.02872     2.05283     0.61349
2
3     1.90323     1.92907     1.94412     0.58210
4
5     1.71032     1.73464     1.74931     0.60338
6
7     1.73307     1.75976     1.77597     0.60762
8     1.72510     1.73844     1.74571     0.54521
9
10     1.73131     1.75418     1.76768     0.58981
11     1.90323     1.92907     1.94412     0.58210
12
13(絞り)
14*    1.76546     1.78094     1.78951     0.55362
15
16     1.64210     1.66124     1.67258     0.59229
17
18     1.49514     1.50123     1.50451     0.53875
19
20*    1.76546     1.78094     1.78951     0.55362
21
22     1.57723     1.59145     1.59965     0.57667
23
24     1.90323     1.92907     1.94412     0.58210
25     1.71437     1.73512     1.74723     0.58336
26
27     1.51432     1.52237     1.52667     0.53418
28
29
像面
【０１１５】
表  ３１（非球面データ）
第14面
K=-6.32271E-01, A4=-1.42435E-07, A6= 4.80045E-10, A8=-4.47091E-11 
A10= 6.57429E-13, A12=-4.36493E-15, A14= 1.40294E-17, A16=-1.77567E-20 
第20面
K=-1.19401E+00, A4= 2.50312E-06, A6=-6.28166E-09, A8= 2.11966E-10 
A10=-3.72303E-12, A12= 2.97405E-14, A14=-1.15161E-16, A16= 1.74070E-19 
【０１１６】
表  ３２（各種データ）
物体距離       無限遠      3000       500
焦点距離      41.6508   41.8044   42.1822
Ｆナンバー     1.28400   1.29968   1.39472
画角        14.7073   14.4893   13.2684
像高        10.8150   10.8150   10.8150
レンズ全長     92.4997   92.4997   92.4997
ＢＦ       -0.00016  -0.00018  -0.00019
d0               ∞ 2907.5000  407.5000 
d15          1.6489    2.3293    6.5938 
d17          7.2205    6.5401    2.2756 
入射瞳位置     41.2669   41.2669   41.2669
射出瞳位置    -63.0615  -62.3743  -57.3321
前側主点位置   55.4082   54.7818   49.9063
後側主点位置   50.8490   50.0969   46.0323
【０１１７】
表  ３３（単レンズデータ）
レンズ     始面     焦点距離
1         1       65.4914
2         3      144.0734
3         5      -38.4567
4         7      -24.3856
5         8       26.5683
6        10      -30.8629
7        11       34.2654
8        14       40.7256
9        16      -40.5422
10        18      218.4222
11        20       44.9890
12        22      -62.8881
13        24       20.7622
14        25      -33.1061
【０１１８】
表  ３４（レンズ群データ）
群   始面    焦点距離  レンズ構成長    前側主点位置  後側主点位置
1      1    43.39643    43.79450        35.26267      34.49508
2     16   -40.54224     0.80000         0.52164       0.83565
3     18    35.36912    38.03600         5.00902      10.88078
【０１１９】
表  ３５（レンズ群倍率）
群   始面     無限遠       3000        500
1      1    0.00000   -0.01497   -0.10866
2     16    4.70558    4.68879    4.58359
3     18    0.20396    0.20397    0.20397
【０１２０】
以下の表３６に、各数値実施例の単焦点レンズ系における各条件の対応値を示す。
【０１２１】
表  ３６（条件の対応値）
【表１】
2015146015.tif 000004
【０１２２】
以上のように、本開示における技術の例示として、実施の形態を説明した。そのために、添付図面および詳細な説明を提供した。
【０１２３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１２４】
また、上述の実施の形態は、本開示における技術を例示するためのものであるから、特許請求の範囲またはその均等の範囲において種々の変更、置き換え、付加、省略などを行うことができる。
【産業上の利用可能性】
【０１２５】
本開示は、デジタルスチルカメラ、デジタルビデオカメラ、スマートフォン等の携帯情報端末のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラ等に適用可能である。特に本開示は、デジタルスチルカメラシステム、デジタルビデオカメラシステムといった高画質が要求される撮影光学系に適用可能である。
【符号の説明】
【０１２６】
Ｇ１    第１レンズ群
Ｇ２    第２レンズ群
Ｇ３    第３レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ｌ１３  第１３レンズ素子
Ｌ１４  第１４レンズ素子
Ｌ１５  平行平板
Ａ      開口絞り
Ｓ      像面
１００  レンズ交換式デジタルカメラシステム
１０１  カメラ本体
１０２  撮像素子
１０３  液晶モニタ
１０４  カメラマウント部
２０１  交換レンズ装置
２０２  単焦点レンズ系
２０３  鏡筒
２０４  レンズマウント部
【図１】
2015146015.tif 000005
【図２】
2015146015.tif 000006
【図３】
2015146015.tif 000007
【図４】
2015146015.tif 000008
【図５】
2015146015.tif 000009
【図６】
2015146015.tif 000010
【図７】
2015146015.tif 000011
【図８】
2015146015.tif 000012
【図９】
2015146015.tif 000013
【図１０】
2015146015.tif 000014
【図１１】
2015146015.tif 000015